(57)【要約】      （修正有）【課題】キーボードの一部を発光できるようにすることにより、ボタンキャップの位置を容易に識別できるキーボードを提供する。【解決手段】本一部発光可能なキーボードによると、底板と、該底板に対して上下動可能な複数のボタンキャップ１５と、前記底板と複数の前記ボタンキャップとの間に、複数の前記ボタンキャップの上下動によって触発されて指令信号を発生する回路板１２が設けられたキーボード部１０と、複数の前記ボタンキャップの下に設けられ、透光区域２１１と非透光区２１２域とが設けられた遮光板２１と、該遮光板の下面に延びるように設けられた少なくとも一つの発光源２２とからなり、該発光源からの光線を、遮光板２１の下に伝導させて、遮光板２１の透光区域２１１によりキーボード部１０を経由して外部に放射する発光部２０とを含む。【選択図】図１
0003167044.tif 000002
【実用新案登録請求の範囲】
【請求項１】
底板（１１）と、前記底板（１１）に対して上下動可能な複数のボタンキャップ（１５）と、前記底板（１１）と複数の前記ボタンキャップ（１５）との間に、複数の前記ボタンキャップ（１５）の上下動によって触発されて指令信号を発生させる回路板（１２）が設けられたキーボード部（１０）と、
複数の前記ボタンキャップ（１５）の下に設けられ、透光区域（２１１）と非透光区域（２１２）とが設けられた遮光板（２１）と、前記遮光板（２１）の下面に延びるように設けられた少なくとも一つの発光源（２２）とからなり、前記発光源（２２）からの光線を、前記遮光板（２１）の下に伝導させて、前記遮光板（２１）の前記透光区域（２１１）により前記キーボード部（１０）を経由して外部に放射する発光部（２０）と、
を含むことを特徴とする一部発光可能なキーボード。
【請求項２】
前記遮光板（２１）は前記底板（１１）の下に設けられることを特徴とする、請求項１に記載の一部発光可能なキーボード。
【請求項３】
前記遮光板（２１）は前記回路板（１２）と前記底板（１１）との間に設けられ、前記底板（１１）には、前記発光源（２２）を収容する収容穴（１１１）が設けられることを特徴とする、請求項１に記載の一部発光可能なキーボード。
【請求項４】
前記遮光板（２１）は前記回路板（１２）の上に設けられ、前記回路板（１２）には、前記発光源（２２）を収容する収容穴（１２１）が設けられることを特徴とする、請求項１に記載の一部発光可能なキーボード。
【請求項５】
前記キーボード部（１０）は、前記ボタンキャップ（１５）と前記回路板（１２）との間に、上板（１３）と、前記上板（１３）と前記ボタンキャップ（１５）とを連結する連動機構（１４）と、が設けられることを特徴とする、請求項１に記載の一部発光可能なキーボード。
【請求項６】
前記遮光板（２１）は前記上板（１３）と前記ボタンキャップ（１５）との間に設けられ、前記上板（１３）には、前記発光源（２２）を収容する収容穴（１３１）が設けられることを特徴とする、請求項５に記載の一部発光可能なキーボード。
【請求項７】
前記連動機構（１４）は、前記上板（１３）と前記ボタンキャップ（１５）とに連接する自在具（１４１）と、前記ボタンキャップ（１５）を支持し前記ボタンキャップ（１５）の回復力を提供する弾性体（１４２）と、を含むことを特徴とする、請求項５に記載の一部発光可能なキーボード。
【請求項８】
前記キーボード部（１０）は、前記連動機構（１４）によって前記底板（１１）と前記ボタンキャップ（１５）とを連結することを特徴とする、請求項１に記載の一部発光可能なキーボード。
【請求項９】
前記連動機構（１４）は、前記底板（１１）と前記ボタンキャップ（１５）とに連接する自在具（１４１）と、前記ボタンキャップ（１５）を支持し前記ボタンキャップ（１５）の回復力を提供する弾性体（１４２）と、を含むことを特徴とする、請求項８に記載の一部発光可能なキーボード。
【請求項１０】
前記発光源（２２）は発光ダイオードであることを特徴とする、請求項１に記載の一部発光可能なキーボード。
【請求項１１】
前記透光区域（２１１）は貫通孔であることを特徴とする、請求項１に記載の一部発光可能なキーボード。
【請求項１２】
前記透光区域（２１１）は光を伝導可能な材料で作製されることを特徴とする、請求項１に記載の一部発光可能なキーボード。
【請求項１３】
前記透光区域（２１１）は、前記ボタンキャップ（１５）の下方と前記ボタンキャップ（１５）の隙間（１６）の下方とのうちの一つに設けられることを特徴とする、請求項１に記載の一部発光可能なキーボード。
【考案の詳細な説明】
【技術分野】
【０００１】
本考案は、一部発光可能なキーボードに関し、特に、一部を発光できるようにすることにより、ボタンキャップの位置を容易に識別できるキーボードに関するものである。
【背景技術】
【０００２】
情報技術の発展に従って、コンピュータは国民の生活に不可欠なものになり、各産業はコンピュータを利用して作業を補助する。デスクトップコンピュータ或いはノートブックコンピュータは、使用する場所及びタイミングが極めて広範であるが、暗い環境において利用する場合には、光量が不足するため、キーボードを正確に入力することができない。このような問題を解決するために、例えば、特許文献１の米国特許第６１７９４３２号、特許文献２の米国特許第６１９９９９６号、特許文献３の米国特許第６２８４９８８号、特許文献４の米国特許第６３２２２２９号及び特許文献５の米国特許第６５５４４４２号の「発光機能付きキーボード」が提案された。これらの発光機能付きキーボードは、キーボードの内部に発光シートを設けて、前記発光シートからの光線がボタンキャップに投射されるため、暗い環境においても、キーボードを正確に入力することができる。
【０００３】
しかしながら、前記発光機能付きキーボードは、発光子とボタンキャップとの間には、弾性体と連動機構とだけが設けられる。前記発光機能付きキーボードの多くは、ボタンキャップ、弾性体と連動機構が透光材料で作製され（前記発光機能付きキーボードの一部は、ボタンキャップが非透光材料で作製されるが、ボタンキャップにあるキャラクターなどが透光材料で作製される）、発光シートの全面から光線を放射するときには、キーボードが均一な背光状態となる。発光機能付きキーボードは、暗い環境、例えば飛行機や自動車の内部など、において利用することが多いが、発光機能付きキーボードからの光線が強いため、周囲の人に迷惑を掛ける可能性がある。また、暗い環境において、ユーザはボタンキャップにあるキャラクターなどを識別する能力が低下し、キーボードの全面が発光する場合には、ユーザはボタンキャップにあるキャラクターなどを識別することが更に困難である。また、ボタンキャップにあるキャラクターなどが非透光材料で作製され、或いはボタンキャップが非透光材料で作製されボタンキャップにあるキャラクターなどが透光材料で作製されても、隣接するボタンキャップ同士の間の隙間から漏れる光線により、ユーザはボタンキャップにあるキャラクターなどを識別することが困難である。そうすると、ユーザはキーボードを正確に入力することができない。
【先行技術文献】
【特許文献】
【０００４】
【特許文献１】米国特許第６１７９４３２号公報
【特許文献２】米国特許第６１９９９９６号公報
【特許文献３】米国特許第６２８４９８８号公報
【特許文献４】米国特許第６３２２２２９号公報
【特許文献５】米国特許第６５５４４４２号公報
【考案の概要】
【考案が解決しようとする課題】
【０００５】
本考案の主な目的は、キーボードの一部を発光できるようにすることにより、ボタンキャップの位置を容易に識別できるキーボードを提供することにある。
【課題を解決するための手段】
【０００６】
本考案の一部発光可能なキーボードによると、底板１１と、前記底板１１に対して上下動可能な複数のボタンキャップ１５と、前記底板１１と複数の前記ボタンキャップ１５との間に、複数の前記ボタンキャップ１５の上下動によって触発されて指令信号を発生する回路板１２が設けられたキーボード部１０と、
複数の前記ボタンキャップ１５の下に設けられ、透光区域２１１と非透光区域２１２とが設けられた遮光板２１と、前記遮光板２１の下面に延びるように設けられた少なくとも一つの発光源２２とからなり、前記発光源２２からの光線を、前記遮光板２１の下に伝導させて、前記遮光板２１の前記透光区域２１１により前記キーボード部１０を経由して外部に放射する発光部２０と、を含むことを特徴とする。
【０００７】
本考案の一部発光可能なキーボードによると、前記遮光板２１は前記底板１１の下に設けられることを特徴とする。
【０００８】
本考案の一部発光可能なキーボードによると、前記遮光板２１は前記回路板１２と前記底板１１との間に設けられ、前記底板１１には、前記発光源２２を収容する収容穴１１１が設けられることを特徴とする。
【０００９】
本考案の一部発光可能なキーボードによると、前記遮光板２１は前記回路板１２の上に設けられ、前記回路板１２には、前記発光源２２を収容する収容穴１２１が設けられることを特徴とする。
【００１０】
本考案の一部発光可能なキーボードによると、前記キーボード部１０は、前記ボタンキャップ１５と前記回路板１２との間に、上板１３と、前記上板１３と前記ボタンキャップ１５とを連結する連動機構１４と、が設けられることを特徴とする。
【００１１】
本考案の一部発光可能なキーボードによると、前記遮光板２１は前記上板１３と前記ボタンキャップ１５との間に設けられ、前記上板１３には、前記発光源２２を収容する収容穴１３１が設けられることを特徴とする。
【００１２】
本考案の一部発光可能なキーボードによると、前記連動機構１４は、前記上板１３と前記ボタンキャップ１５とに連接する自在具１４１と、前記ボタンキャップ１５を支持し前記ボタンキャップ１５の回復力を提供する弾性体１４２と、を含むことを特徴とする。
【００１３】
本考案の一部発光可能なキーボードによると、前記キーボード部１０は、前記連動機構１４によって前記底板１１と前記ボタンキャップ１５とを連結することを特徴とする。
【００１４】
本考案の一部発光可能なキーボードによると、前記連動機構１４は、前記底板１１と前記ボタンキャップ１５とに連接する自在具１４１と、前記ボタンキャップ１５を支持し前記ボタンキャップ１５の回復力を提供する弾性体１４２と、を含むことを特徴とする。
【００１５】
本考案の一部発光可能なキーボードによると、前記発光源２２は発光ダイオードであることを特徴とする。
【００１６】
本考案の一部発光可能なキーボードによると、前記透光区域２１１は貫通孔であることを特徴とする。
【００１７】
本考案の一部発光可能なキーボードによると、前記透光区域２１１は光を伝導可能な材料で作製されることを特徴とする。
【００１８】
本考案の一部発光可能なキーボードによると、前記透光区域２１１は、前記ボタンキャップ１５の下方と前記ボタンキャップ１５の隙間１６の下方とのうちの一つに設けられることを特徴とする。
【考案の効果】
【００１９】
本考案の一部発光可能なキーボードによれば、キーボードの一部を発光できるようにすることにより、ボタンキャップの位置を容易に識別できるという効果を有する。
【図面の簡単な説明】
【００２０】
【図１】本考案の第１実施例を示す断面図である。
【図２】本考案の第２実施例を示す断面図である。
【図３】本考案の第３実施例を示す断面図である。
【図４】本考案の第４実施例を示す断面図である。
【図５】本考案の第５実施例を示す断面図である。
【図６】本考案の第６実施例を示す断面図である。
【図７】本考案の第７実施例を示す断面図である。
【考案を実施するための最良の形態】
【００２１】
以下、本考案の実施の形態を図面に基づいて説明する。
（第１実施例）
まず、図１を参照する。図１は、本考案の第１実施例を示す断面図である。本考案の一部発光可能なキーボードは、キーボード部１０と、キーボード部１０に設けられる発光部２０と、を含む。キーボード部１０は、底板１１と、回路板１２と、複数のボタンキャップ１５と、を有する。底板１１、回路板１２と複数のボタンキャップ１５の順序で下から上に設けられる。本実施例のキーボード部１０は、更に、回路板１２とこれらのボタンキャップ１５との間に、上板１３と、上板１３とボタンキャップ１５とを連結する連動機構１４と、が設けられる。連動機構１４は、上板１３とボタンキャップ１５とに連接する自在具１４１と、ボタンキャップ１５を支持しボタンキャップ１５の回復力を提供する弾性体１４２と、を含む。連動機構１４によってボタンキャップ１５が打たれて上下動するときには、回路板１２が弾性体１４２に接触されて指令信号を発生する。
【００２２】
発光部２０は、これらのボタンキャップ１５の下に設けられる遮光板２１を有する。遮光板２１に透光区域２１１と非透光区域２１２とが設けられ、且つ遮光板２１の下面に少なくとも一つの発光源２２（例えば発光ダイオード）が延びるように設けられる。本実施例では、遮光板２１が上板１３とボタンキャップ１５との間に設けられ、上板１３には、発光源２２を収容する収容穴１３１が設けられる。透光区域２１１はボタンキャップ１５の下に位置する貫通孔であり、前記貫通孔は弾性体１４２を収容できる。発光源２２からの光線は、遮光板２１の下に伝導されて、前記貫通孔で形成される透光区域２１１によりボタンキャップ１５を経由してキーボード部１０から外部に放射される。非透光区域２１２により、発光源２２からの光線はボタンキャップ１５同士の間にある隙間１６まで伝導されないため、ボタンキャップ１５の位置だけを発光でき、隙間１６の位置は発光されない。
【００２３】
（第２実施例）
図２を参照する。図２は、本考案の第２実施例を示す断面図である。本実施例の第１実施例と相違する点は、遮光板２１は、回路板１２の上に設けられ、上板１３と回路板１２との間に位置し、回路板１２には、発光源２２を収容する収容穴１２１が設けられ、発光源２２からの光線は、遮光板２１の下に伝導されて、透光区域２１１によりボタンキャップ１５から外部に放射されることにある。これにより、各ボタンキャップ１５の位置を容易に識別できる。
【００２４】
（第３実施例及び第４実施例）
ボタンキャップ１５が発光する実施例の他、ボタンキャップ１５の隙間１６が発光しても、上記と同じ効果を達成することができる。図３及び図４を参照する。図３は本考案の第３実施例を示す断面図であり、図４は本考案の第４実施例を示す断面図である。図３に示すように、遮光板２１は回路板１２と底板１１との間に設けられ、底板１１には、発光源２２を収容する収容穴１１１が設けられる。図４に示すように、遮光板２１が底板１１の下に設けられる。図３及び図４に示す遮光板２１の透光区域２１１はボタンキャップ１５の隙間１６の下に位置する。透光区域２１１は、貫通孔又は、光を伝導できる材料で作製されてもよい。発光源２２からの光線は、遮光板２１の下に伝導されて、透光区域２１１によりボタンキャップ１５の隙間１６から外部に放射される。これにより、ボタンキャップ１５が発光せず、隙間１６が発光し、そうすると、各ボタンキャップ１５の位置を容易に識別できる。
【００２５】
（第５実施例乃至第７実施例）
本実施例では、キーボードの厚さを減少するために、上板１３を省略した。図５乃至図７を参照する。図５は本考案の第５実施例を示す断面図であり、図６は本考案の第６実施例を示す断面図であり、図７は本考案の第７実施例を示す断面図である。これらの実施例のキーボード部１０は、連動機構１４によって底板１１とボタンキャップ１５とを連結する。連動機構１４は、上板１３とボタンキャップ１５とに連接する自在具１４１と、ボタンキャップ１５を支持しボタンキャップ１５の回復力を提供する弾性体１４２と、を含む。第５実施例では、図５に示すように、遮光板２１が回路板１２の上に設けられ、透光区域２１１がボタンキャップ１５の下に位置し、発光源２２からの光線は、透光区域２１１を経由してボタンキャップ１５から外部に放射される。第６実施例では、図６に示すように、遮光板２１が回路板１２と底板１１との間に設けられる。第７実施例では、図７に示すように、遮光板２１が底板１１の下に設けられ、遮光板２１の透光区域２１１がボタンキャップ１５の隙間１６の下に位置し、発光源２２からの光線は、遮光板２１の下に伝導されて、透光区域２１１によりボタンキャップ１５の隙間１６から外部に放射される。
【００２６】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２７】
本考案は、キーボードに適用することができる。
【符号の説明】
【００２８】
１０    キーボード部
１１    底板
１２    回路板
１３    上板
１４    連動機構
１５    ボタンキャップ
１６    隙間
２０    発光部
２１    遮光板
２２    発光源
１１１  収容穴
１２１  収容穴
１３１  収容穴
１４１  自在具
１４２  弾性体
２１１  透光区域
２１２  非透光区域
【図１】
0003167044.tif 000003
【図２】
0003167044.tif 000004
【図３】
0003167044.tif 000005
【図４】
0003167044.tif 000006
【図５】
0003167044.tif 000007
【図６】
0003167044.tif 000008
【図７】
0003167044.tif 000009